(57)【要約】【課題】押しボタンの照明範囲を狭くせず、押しボタンの周囲の隙間からの光の漏れを抑制した表示部照明装置、および車載用音響装置を提供する。【解決手段】操作パネル１３に設けた押しボタン１５に裏側から光を照射し、この押しボタンに設けた文字等からなる光透過式表示部１５Ａを照明する表示部照明装置において、操作パネル１３と光源２４との間にラバーパーツ２５を設け、このラバーパーツ２５の照明範囲相当部に薄肉部２５Ｂを形成した。【選択図】図２
2007265644.tif 000002
【特許請求の範囲】
【請求項１】
操作パネルに設けた押しボタンに裏側から光を照射し、この押しボタンに設けた文字等からなる光透過式表示部を照明する表示部照明装置において、前記操作パネルと光源との間にラバーパーツを設け、このラバーパーツの照明範囲相当部に薄肉部を形成したことを特徴とする表示部照明装置。
【請求項２】
前記押しボタンが裏面に照明範囲を区画するリブを備え、このリブの内側の照明範囲内に前記ラバーパーツの薄肉部を延在させたことを特徴とする請求項１に記載の表示部照明装置。
【請求項３】
前記ラバーパーツがシリコンラバーを単色着色して形成されていることを特徴とする請求項１または２に記載の表示部照明装置。
【請求項４】
再生装置本体と、その前面に設けた操作パネルとを備え、この操作パネルに設けたプッシュ式の押しボタンに裏側から光を照射し、この押しボタンに設けた文字等からなる光透過式表示部を照明する車載用音響装置において、前記操作パネルと光源との間にラバーパーツを設け、このラバーパーツの照明範囲相当部に薄肉部を形成したことを特徴とする車載用音響装置。
【発明の詳細な説明】
【技術分野】
【０００１】
本発明は、プッシュ式の押しボタンに裏側から光を照射して、この押しボタンに設けた文字等からなる光透過式表示部を照明する表示部照明装置、およびそれを用いた車載用音響装置に関する。
【背景技術】
【０００２】
一般に、車載用音響装置では、記録媒体としてのＣＤ−ＲＯＭ等を再生するものが知られている。この種のものでは、再生装置本体と、その前面に設けた操作パネルとを備え、この操作パネルの開口部に設けた押しボタンに裏側から光を照射し、この押しボタンの表面に設けた文字等からなる光透過式表示部を照明し、押しボタンの視認性を高める場合がある。従来の光透過式のボタン照明構造では、押しボタンの裏側に光源を置いて直接照明するか、或いは透明アクリル材等により光を押しボタンの裏に導いて照明する。
【０００３】
しかし、このボタン照明構造では、押しボタンの周囲の隙間から光が漏れるため、従来、光漏れ防止用の遮光部品と照明用の光透過拡散部品とを別々の部品として設けたものが提案されている（例えば、特許文献１参照）。
【特許文献１】実開平５−５５４２４号公報
【発明の開示】
【発明が解決しようとする課題】
【０００４】
しかし、遮光部品と光透過拡散部品とを別々の部品として設けた場合、部品点数が増し、コストが増加し、組み付け性も悪くなる問題があった。
これに対し、押しボタンの外周部を、操作パネルの開口の周縁部に大きくラップさせて光の漏れを抑制することも提案されるが、ラップ量を大きくとると、押しボタンの照明範囲が狭くなる問題があった。
【０００５】
そこで、本発明の目的は、上述した従来の技術が有する課題を解消し、押しボタンの照明範囲を狭くせず、押しボタンの周囲の隙間からの光の漏れを抑制した表示部照明装置、および車載用音響装置を提供することにある。
【課題を解決するための手段】
【０００６】
本発明は、操作パネルに設けた押しボタンに裏側から光を照射し、この押しボタンに設けた文字等からなる光透過式表示部を照明する表示部照明装置において、前記操作パネルと光源との間にラバーパーツを設け、このラバーパーツの照明範囲相当部に薄肉部を形成したことを特徴とする。
【０００７】
本構成では、ラバーパーツの照明範囲相当部に薄肉部を形成したため、この薄肉部を通じ、光が透過して光透過式表示部が照明される。このようにラバーパーツを薄肉部と、それ以外のいわば厚肉部とで構成し、厚肉部と薄肉部との光の透過量の違いを利用し、厚肉部を遮光目的とし、薄肉部を光の透過及び拡散目的とさせれば、ラバーパーツを配置するだけの簡単な構成で、光漏れを防止る。
【０００８】
前記押しボタンが裏面に照明範囲を区画するリブを備え、このリブの内側の照明範囲内に前記ラバーパーツの薄肉部を延在させてもよい。
この構成では、ラバーパーツの薄肉部が、リブの内側の照明範囲内に延在するため、この薄肉部を通った光が、すべて光透過式表示部に向かい、光がリブの外側に漏れ出すことがなく、より光漏れが防止できる。
【０００９】
前記ラバーパーツがシリコンラバーを単色着色して形成されていてもよい。
例えば、ラバーパーツを薄い黒スモーク色に着色すれば、厚肉部と薄肉部との光の透過量に大きな違いを作り出すことができ、厚肉部を遮光目的とし、薄肉部を光の透過及び拡散目的とした、簡単な構成により光漏れを防止できる。
【００１０】
再生装置本体と、その前面に設けた操作パネルとを備え、この操作パネルに設けたプッシュ式の押しボタンに裏側から光を照射し、この押しボタンに設けた文字等からなる光透過式表示部を照明する車載用音響装置において、前記操作パネルと光源との間にラバーパーツを設け、このラバーパーツの照明範囲相当部に薄肉部を形成してもよい。
車載用音響装置では、運転に支障がないように光漏れの抑制が重要であり、これを解消するため、従来、種々の工夫がみられる。
本発明では、上述したように、薄肉部を有したラバーパーツを利用したことにより、極めて簡易な構成で光漏れを実現できる。
【発明の効果】
【００１１】
本発明では、薄肉部を備えたラバーパーツを利用したことにより、極めて簡易な構成で光漏れを実現できる。
【発明を実施するための最良の形態】
【００１２】
以下、本発明の一実施形態を、図面に基づいて説明する。
図１において、１０は、車載用音響装置を示し、この車載用音響装置１０は、再生装置本体１１と、その前面に配置された操作パネル１３とを備えている。この操作パネル１３の表面には各種選択スイッチ（押しボタン）１５が配置されると共に、ＣＤやＤＶＤ等を挿入自在な挿入口１７が形成され、この挿入口１７から挿入されたＣＤやＤＶＤ等が、再生装置本体１１に入って、記録情報再生が行われる。
【００１３】
本実施の形態では、各種選択スイッチ１５の表面に、文字１５Ａが形成され、この文字１５Ａが、光透過式表示部を構成している。
【００１４】
図２は、選択スイッチ１５の断面図である。この選択スイッチ１５は、押しボタン式のスイッチであり、図２に示すように、上記操作パネル１３と、この操作パネル１３の背後に配置された制御用の基板１９との間に介装されている。すなわち、操作パネル１３には、スイッチ挿入用の開口１３Ａが形成され、この開口１３Ａには、上記選択スイッチ１５が押動自在に配置されている。この選択スイッチ１５は、両側方に張り出したフランジ１５Ｂを含み、このフランジ１５Ｂが、操作パネル１３の開口壁１３Ｂの段部１３Ｃに係止されて、押動限界位置が規定されている。
【００１５】
この選択スイッチ１５の裏面には、横断面が略十文字状の押し部材２１が一体に形成され、この押し部材２１の下端２１Ａに対向し、接点２３が配置されている。この接点２３は基板１９に取り付けられ、接点２３が開閉することで、選択スイッチ１５による選択が実行される。２４は光源である。
【００１６】
上記構成において、操作パネル１３と光源２４との間には、この基板１９の上面全域をほぼ覆うように、ラバーパーツ２５が配置されている。このラバーパーツ２５は、例えばシリコンラバーを素材として形成されており、薄い黒スモーク色のような単一色で着色されている。このラバーパーツ２５は、全体として厚さＴ１の厚肉部２５Ａで形成され、各選択スイッチ１５の裏面対向部（照明範囲に相当する。）が、それよりかなり薄く、厚さＴ２の薄肉部２５Ｂで形成されている。なお、上記押し部材２１は、ラバーパーツ２５の薄肉部２５Ｂの孔を貫通している。
ラバーパーツを薄肉部２５Ｂと、それ以外のいわば厚肉部２５Ａとで構成した場合、厚肉部２５Ａと薄肉部２５Ｂに光の透過量の違いが生じる。薄い黒スモーク色とした場合、その違いが顕著になる。
【００１７】
また、選択スイッチ１５の裏面には、照明範囲を区画するためのリブ３１が一体に形成され、このリブ３１の内側の照明範囲内に、上記ラバーパーツ２５の薄肉部２５Ｂが入り込んで延在している。選択スイッチ１５を押し下げ操作すると、押し部材２１の下端２１Ａが、接点２３にあたり、それを開閉する。この場合、リブ３１の先端３１Ａが、ラバーパーツ２５の厚肉部２５Ａにあたり、クッションになり、かつ厚肉部２５Ａは、選択スイッチ１５を押し上げる機能を持つ。
【００１８】
上記構成では、厚肉部２５Ａが遮光目的とされ、薄肉部２５Ｂが光の透過及び拡散目的とされると共に、この薄肉部が、リブ３１の内側の照明範囲内に延在するため、この薄肉部を通った光が、すべて文字（光透過式表示部）１５Ａに向かい、光がリブ３１の外側に漏れ出すことがない。
この構成では、操作パネル１３の開口１３Ａと、選択スイッチ１５との隙間δに光が到達せず、光漏れを防止できる。
【００１９】
本実施の形態では、単一着色のラバーパーツ２５を、操作パネル１３と光源２４の間に配置し、かつ、ラバーパーツ２５の薄肉部２５Ｂを、照明範囲に位置させただけの簡易な構成で、隙間δからの光漏れを防止できる。本構成では、このラバーパーツ２５をシリコンラバーで形成した場合、薄肉部２５Ｂの成形が簡単である。照明色を調整する場合には、着色の色を変えるだけでよいため、色調整が簡単である。また、薄肉部２５Ｂには光の拡散効果があるため、照明ムラを抑制することができる。
【００２０】
本構成では、光源２４の光が、厚肉部２５Ａで遮光され、照明範囲相当部の薄肉部２５Ｂだけを透過する。従って、照明範囲相当部に、薄肉部２５Ｂを配置することで、文字照明が可能になり、その他の部位には光が到達しない。従来では、光漏れを防ぐため、選択スイッチ１５のフランジ１５Ｂを、操作パネル１３の開口壁１３Ｂの段部１３Ｃに大きくラップさせて、隙間δを狭めているが、本構成では、その必要がない。このラップ量を大きくとると、選択スイッチ１５の照明範囲が狭くなるが、本構成では、そこに光が到達しないため、ラップ量を少なく設定することができ、従って、選択スイッチ１５の照明範囲を大きくとれる。また、従来、光漏れ防止用の遮光部品と照明用の光透過拡散部品とを別々の部品として設けたものが提案されていたが、これと比べると、本構成では、ラバーパーツ２５を設けるだけでよいため、部品点数の増加を抑制し、コストの低減が図れ、しかも、光照明機構の組み付け性が向上する。
【００２１】
車載用音響装置では、運転に支障がないように光漏れを抑制する工夫が必要である。従来、種々の工夫がみられたが、本構成では、上述したように、ラバーパーツ２５の利用だけなので、極めて簡易な構成で光漏れを実現できる。
【図面の簡単な説明】
【００２２】
【図１】本発明の一実施の形態を示す斜視図である。
【図２】その要部を示す断面図である。
【符号の説明】
【００２３】
１０  車載用音響装置
１１  再生装置本体
１３  操作パネル
１５  選択スイッチ（押しボタン）
１５Ａ  文字（光透過式表示部）
１９  基板
２３  接点
２４  光源
２５  ラバーパーツ
２５Ａ  厚肉部
２５Ｂ  薄肉部
３１  リブ
【図１】
2007265644.tif 000003
【図２】
2007265644.tif 000004